(57)【要約】【課題】インクジェットを設けたキャリッジを印刷幅方向に往復動させることによりシート幅全域にわたる印刷を行なう場合に、ポストカード状シートの後端の浮き上がりによりキャリッジとシートの間に干渉が生ずることを防止する。【解決手段】インク噴射口の前を横切る手前の位置にてシートを送る第一のローラ群とインク噴射口の前を横切った後の位置にてシートを送る第二のローラ群とによりシートを送り、標準サイズのポストカード状シートが前記ローラ群により縦長に送られるとき、シートの後端が第一のローラ群との係合より外れる前にポストカードの前端部を支持するシート前端部支持手段を設ける。【選択図】    図２
2005022836.tif 000002
【特許請求の範囲】
【請求項１】
画像信号に基づいてインクを噴射するインクジェットと、前記インクジェットのインク噴射口の前を横切ってポストカード状のシートを送るシート送り手段と、前記インクジェットにより印刷を施され前記シート送り手段により送り出された印刷済みシートを受けるシート受け手段とを有するポストカード印刷装置にして、前記シート送り手段はシート送り方向に見て前記インク噴射口の前を横切る手前の位置にてシートを送る第一のローラ群と前記インク噴射口の前を横切った後の位置にてシートを送る第二のローラ群とを有し、前記第一および第二のローラ群によりシートは前記インク噴射口の前を所定の経路に沿って横切るようになっており、前記シート受け手段は標準サイズのポストカード状のシートが前記シート送り手段により縦長に送られるとき、該シートのシート送り方向に見た後端が前記第一のローラ群との係合より外れる前に該シートのシート送り方向に見た前端部を支持するシート前端部支持手段を有し、前記シート前端部支持手段による前記シートの前端部の支持は、該シートの前記後端が前記第一ローラ群との係合より外れた後も該シートの後端部が前記インク噴射口の前を前記所定の経路に沿って移動するようにするものであることを特徴とするポストカード印刷装置。
【請求項２】
前記シート受け手段は前記シート送り手段によるシート送り出し口の下方に位置する始端から始まって前記シート前端部支持手段までシート送り方向に次第に高くなるシート受け面を有することを特徴とする請求項１に記載のポストカード印刷装置。
【請求項３】
前記シート受け面は一対の帯片により構成され、前記シート受け手段はポストカード印刷装置の非使用時にはそのハウジング内に収納されるようになっていることを特徴とする請求項１または２に記載のポストカード印刷装置。
【請求項４】
前記一対の帯片はその湾曲度を使用時に比して収納時に増大させることができるようになっていることを特徴とする請求項３に記載のポストカード印刷装置。
【請求項５】
前記シート前端部支持手段は前記シート受け面の始端よりシート送り方向に見た直線距離にしてポストカードの標準サイズの長辺の長さの５０％より大きく１００％より小さい距離だけ隔たっていることを特徴とする請求項１〜４のいずれかに記載のポストカード印刷装置。
【発明の詳細な説明】
【０００１】
【発明の属する技術分野】
本発明は、主として年賀状、暑中見舞い状或はクリスマスカードの如く差出人の個性的表現が重きをなすカード状の書面（以下これらを総称してポストカードという）を調製する装置に係る。ここで、ポストカードの「調製」とは、ポストカードの図柄を起案することから始まって起案された図柄をポストカード上に印刷するまでの行為をいうものとし、本発明に係るポストカード印刷装置はその後半に使用するものである。
【０００２】
【従来の技術】
ポストカードは、個々の差出人が独自の個性を発揮し、多くは日頃ご無沙汰している友人知人に自分を思い出させまた印象づける絶好の手段であり、その図柄は各自の創作によることが強く望まれるものである。とはいえ、漫画家や挿絵画家或いは書家の如く日頃からポストカードの作成に適した技術を行使している極一部の人を除き、多くの人にとって、ポストカードの図柄を満足すべき仕上がり状態に独自に創作することはなかなか困難である。そこで予てより専門家のデザインによる種々の図柄や模様或いは文字列等を集めて印刷した年賀状作成用デザイン集のようなものが市中に出まわっており、各自はかかるデザイン集等より好みの図柄や模様或いは文字列等を選んで切り抜き、それらを組み合わせ、またそれに自筆文字を書き加えるなどして、ポストカードを作ることがよく行われている。
【０００３】
このように図柄等を組み合わせてポストカードをデザインし、さらにそれをカード上に印刷するに便利なポストカード調製装置として、本件出願人は嘗てそれを孔板印刷の手法にて行なうプリントゴッコ（商品名）なる装置を下記の特許文献１にて提案した。この装置は、ポストカード大の原稿載置台を呈する下枠と、それに対し上下に枢動可能に接続された上枠とを有し、上枠にはそれが下枠上に閉じ合わされたとき原稿載置台上に重なる位置にガラス窓が設けられており、このガラス窓の下面に孔版原版が取り付けられ、ガラス窓の上側からフラッシュランプが点灯されるようになっているものである。かかる装置を用いれば、原稿載置台上にて図柄や文字列等の切り抜きを組み合わせて所望の全体画像をデザインし、その上にガラス板の下面に取りつけられた孔版原版が重なり合うように上枠を降ろし、孔版原版を組み合わせ図柄の上に押し付け、その状態を保ってガラス板の上からフラッシュランプを発光させることにより、合成図柄の一枚孔版が得られ、切り抜き図柄や文字列等の組み合わせによっても、各自独特のデザインによるポストカードを作成することができる。
【特許文献１】実公昭５７−１５８１４
【０００４】
しかし、昨今はコンピュータによる画像処理技術の発達に伴い、予め準備された図柄要素や文字列等をコンピュータの画面上にて組み合わせて合成画像を作ることが容易に行えるようになってきた。とはいえ、コンピュータによる画像処理にはコンピュータの操作に関する基礎知識と、それぞれの画像処理ソフトの操作に関する相当の知識と訓練とが必要である。これらの知識や訓練を現在の中高年層に広く求めることにはかなりの困難がある。
【０００５】
コンピュータや各種のコンピュータソフトの操作に関する事項は、その多くが単に便宜上定められている約束事であり、理論的に体系化されているものではないので、常時それに接していれば、半ば習慣的に実行される操作事項であるが、しばらくそれより遠ざかっていると、再度それを実行しようとするとき、初めてそれに接するときと等しい戸惑いを覚えるものである。年賀状とクリスマスカードの作成は年に一度であり、暑中見舞い状を出す習慣のある人でも、かかるポストカードの作成を行うのは半年毎である。日頃コンピュータに親しんでいる人でない場合、半年毎や一年毎のコンピュータ操作、特に画像処理操作は、毎回非常に困難な作業となる。
【０００６】
また年賀状、暑中見舞い状、クリスマスカード等では、自らの筆跡による挨拶等の文言を書き加えたいときが多々あるが、コンピュータの画面上では、これができない。勿論、スキャナ装置があれば自筆の文言を一度紙の上に書し、それをスキャナ装置に読み取らせてコンピュータに持ち込むことはできる。しかしそのためにはコンピュータとプリンタの他に更にスキャナ装置が必要であり、またコンピュータへのスキャナ装置の接続やスキャナ装置の操作に関する更なる知識を必要とする。
【０００７】
一方、昨今のコンピュータと組み合わされるインクジェットを用いたデジタルカラー印刷技術の発展は目覚ましく、印刷画像の質と印刷速度は急速に上昇し、それに反比例するように印刷機の価格は急速に低下しつつある。かかる印刷技術の発展がもたらす恩恵はコンピュータ愛好者に限られずより広く平等に享受されるべきである。
【０００８】
上記の事情に鑑み、従来プリントゴッコを用いて行われていた切り抜き図柄や切り抜き文字列等を組み合わせる手法によっても、また日頃コンピュータに親しむ習慣をもたない人にも、日毎に性能が向上し価格が低廉化しつつあるインクジェットデジタル印刷機を年賀状、暑中見舞い状、クリスマスカード等の印刷に利用することができるようなポストカード調製機として、本件出願人と同一人は、特願２００２−２６６７０６にて、「ポストカード大の原稿載置窓および該原稿載置窓に表示された画像を読み取って画像を表す画像信号を生成するイメージセンサを備えた画像読取り装置と、前記画像読取り装置とは別体の装置として構成され、前記画像信号を処理する信号処理手段およびインクジェットデジタルカラー印刷手段を備え、前記画像信号に対応する画像を印刷する画像印刷装置と、前記画像読取り装置より前記画像印刷装置へ前記画像信号を伝送する信号伝送手段との組合せよりなることを特徴とするポストカード調製機」を提案した。
【０００９】
【発明が解決しようとする課題】
インクジェットによる印刷に於いては、被印刷面をインクジェットのインク噴射口より僅かに引き離した位置に支えておかなければならないので、画像信号に基づいてインクを噴射するインクジェットと、インクジェットのインク噴射口の前を横切ってポストカード状のシートを送るシート送り手段と、インクジェットにより印刷を施されシート送り手段により送り出された印刷済みシートを受けるシート受け手段とを有するポストカード印刷装置に於いては、シート送り手段は、その作用に適した合理的な構造の一つとして、シート送り方向に見てインク噴射口の前を横切る手前の位置にてシートを送る第一のローラ群とインク噴射口の前を横切った後の位置にてシートを送る第二のローラ群とを含むものとされてよい。
【００１０】
しかし、ポストカード状シートは、その平面の寸法に比して厚さが比較的大きいので全体としてかなり剛固なシートである。そのため、ポストカード状シートが、上記の如くシート送り方向に見てインク噴射口の前を横切る手前の位置にてシートを送る第一のローラ群とインク噴射口の前を横切った後の位置にてシートを送る第二のローラ群とによりインク噴射口の前を横切って送られるようになっていると、一枚のカードの印刷が終わり近づき、シートの後端が前記第一のローラ群との係合から外れると、シートはその自重により前記第二のローラ群の周りにシート送り方向前端部が下がるように傾動し、シートの送り方向後端部がインク噴射口へ向けて近づくように浮き上がる。
【００１１】
一方、インクジェットは一般にコスト上の都合からシートの印刷幅全体にわたって延在するようには設けられず、比較的少数のインクジェットが印刷幅方向に往復動するキャリッジ上に設けられ、かかるキャリッジを印刷幅方向に往復動させつつインクジェットを作動させることによってシート幅全域にわたる印刷が行われるようになっている。この場合、シート後端が第一のローラ群との係合を外れた後インク噴射口へ向けて近づくように浮き上がると、シートがインクジェットとの接触によりインクによって汚される恐れがあるだけでなく、更にキャリッジが往復動の一端にあるときシート後端の浮き上がりが生ずると、キャリッジが次の往復動に入るとき浮き上がったシート後端と干渉し、シートがしわになったり噛込まれて紙詰まりが起こる恐れがある。
【００１２】
本発明は、上記の問題に想到し、この問題を解決したポストカード印刷装置を提供すること課題としている。
【００１３】
【課題を解決するための手段】
上記の課題を解決するものとして、本発明は、画像信号に基づいてインクを噴射するインクジェットと、前記インクジェットのインク噴射口の前を横切ってポストカード状のシートを送るシート送り手段と、前記インクジェットにより印刷を施され前記シート送り手段により送り出された印刷済みシートを受けるシート受け手段とを有するポストカード印刷装置にして、前記シート送り手段はシート送り方向に見て前記インク噴射口の前を横切る手前の位置にてシートを送る第一のローラ群と前記インク噴射口の前を横切った後の位置にてシートを送る第二のローラ群とを有し、前記第一および第二のローラ群によりシートは前記インク噴射口の前を所定の経路に沿って横切るようになっており、前記シート受け手段は標準サイズのポストカード状のシートが前記シート送り手段により縦長に送られるとき、該シートのシート送り方向に見た後端が前記第一のローラ群との係合より外れる前に該シートのシート送り方向に見た前端部を支持するシート前端部支持手段を有し、前記シート前端部支持手段による前記シートの前端部の支持は、該シートの前記後端が前記第一ローラ群との係合より外れた後も該シートの後端部が前記インク噴射口の前を前記所定の経路に沿って移動するようにするものであることを特徴とするポストカード印刷装置を提案するものである。
【００１４】
前記シート受け手段は前記シート送り手段によるシート送り出し口の下方に位置する始端から始まって前記シート前端部支持手段までシート送り方向に次第に高くなるシート受け面を有していてよい。
【００１５】
前記シート受け面は一対の帯片により構成され、前記シート受け手段はポストカード印刷装置の非使用時にはそのハウジング内に収納されるようになっていてよい。この場合、前記一対の帯片は、その湾曲度を使用時に比して収納時に増大させることができるようになっていてよい。
【００１６】
前記シート前端部支持手段は前記シート受け面の始端よりシート送り方向に見た直線距離にしてポストカードの標準サイズの長辺の長さの５０％より大きく１００％より小さい距離だけ隔たっていてよい。
【００１７】
【発明の作用及び効果】
画像信号に基づいてインクを噴射するインクジェットと、前記インクジェットのインク噴射口の前を横切ってポストカード状のシートを送るシート送り手段と、前記インクジェットにより印刷を施され前記シート送り手段により送り出された印刷済みシートを受けるシート受け手段とを有するポストカード印刷装置に於いて、前記シート送り手段がシート送り方向に見て前記インク噴射口の前を横切る手前の位置にてシートを送る第一のローラ群と前記インク噴射口の前を横切った後の位置にてシートを送る第二のローラ群とを有し、前記第一および第二のローラ群によりシートが前記インク噴射口の前を所定の経路に沿って横切るようになっているとき、前記シート受け手段に、標準サイズのポストカード状のシートが前記シート送り手段により縦長に送られるとき該ポストカードのシート送り方向に見た後端が前記第一のローラ群との係合より外れる前に該シートのシート送り方向に見た前端部を支持するシート前端部支持手段が設けられ、シート前端部支持手段による前記シートの前端部の支持が、該シートの前記後端が前記第一ローラ群との係合より外れた後も該シートの後端部が前記インク噴射口の前を前記所定の経路に沿って移動するようにするものであれば、ポストカード状シートのシート送り方向に見た後端が前記第一のローラ群との係合より外れた後も、シート後端部はインク噴射口へ向けて近づくように浮き上がることなく、インク噴射口の前を所定の経路に沿って移動し、シートの後端まで印刷が正しくおこなわれ、シートの後端部がキャリッジの往復動に干渉することが防止される。
【００１８】
この場合、前記シート受け手段が前記シート送り手段によるシート送り出し口の下方に位置するシート受け面の始端から始まって前記シート前端部支持手段までシート送り方向に次第に高くなるシート受け面を有していれば、シートが前端部から順次印刷を施され、シート送り出し口から送り出されていくにつれてシート前端部が一度は下方へ垂れ下がっても、垂れ下がった前端部はシート受け面により案内されて前記シート前端部支持手段まで滑らかに持ち上げられる。
【００１９】
ポストカード状のシートは上記の通り全体としての剛性が高いので、前記シート受け面はシートの両側縁部のみに当接する一対の帯片により構成されていてもシート受け面として機能上十分であり、このようにシート受け面が一対の帯辺により構成されれば、ポストカード印刷装置の非使用時には、上記ローラ群の如きシート送り手段との干渉を避けつつ、そのハウジング内に収納されるようになり、ポストカード印刷装置の非使用時の保管が便利になる。
【００２０】
前記一対の帯片がその湾曲度を使用時に比して収納時に増大させることができるようになっていれば、収納時にこれら一対の帯片をより大きく湾曲させることによってもローラ群等のハウジング内に設けられるシート送り手段との干渉を回避することができる。
【００２１】
ポストカード状シートは全体としての剛性が高いことから、前記シート前端部支持手段が前記シート受け面の始端よりシート送り方向に見た直線距離にしてポストカードの標準サイズの長辺の長さの５０％より大きく１００％より小さい距離だけ隔たっているときには、長方形状のシートは前記シート受け面始端に当接する一辺とこれより直線距離にしてシートの長辺の長さの５０％より大きく１００％より小さい距離だけ隔たった箇所の２箇所にて支持されることによってその自重のバランスの下に十分安定した状態に支持される。従って、上記の５０％〜１００％の値をシートの安定保持が確保される範囲内にてできるだけ小さい値とすることにより、印刷装置ハウジングからのシート受け手段の突き出し量をシートの長辺の長さ以下に短くすることができる。
【００２２】
【発明の実施の形態】
図１は本発明によるポストカード印刷装置の一つの実施の形態をその非使用時（収納時）の状態にて示す斜視図であり、図２は印刷装置を使用するためシート受け手段がハウジングより引き出された状態を示す斜視図である。
【００２３】
これらの図に於いて、１０がポストカード印刷装置であり、１２がその外殻をなすハウジングである。ハウジング１２内には、画像信号に基づいてインクを噴射するインクジェット１４が、図には示されていないレールにより案内されてその下面に開口するインク噴射口を両端矢印にて示されている帯状の印刷領域１５に沿って往復動させ、この領域を横切って送られるポストカード状のシート１６に印刷を施すようになっている。シート１６は、シート送り方向に見てインク噴射口がその前を往復動する印刷領域１５の手前の位置にてシートを送る第一のローラ群１８、１９と、印刷領域１５を横切った後の位置にてシートを送る第二のローラ群２０、２２を含むシート送り手段により印刷領域１５を横切って送られる。ポストカード印刷装置には、更に、シート受け手段２４が組み込まれており、これは、図１に示されている収納状態と図２に示されている引き出し状態との間に移動されるようになっている。
【００２４】
ハウジング１２の上部には制御パネル２６が設けられており、この制御パネルの部分は境界線２８により限られた蓋状の部分としてそれより下の部分に対し図には示されていないヒンジにより回動し、ハウジングの内部を露呈することができるようになっている。３０は給紙フェンスであり、収納状態ではハウジング１２の外輪郭に一致してその外壁の一部を構成し、使用時には図２にその概略の輪郭を二点鎖線にて示されている如くハウジングより一部突き出し、印刷に供するシートを受け入れるようになっている。
【００２５】
シート受け手段２４は、それがハウジング１２内に収納されたときには、ハウジングが呈する外輪郭の一部を構成するようになっている前板３２と、一端にてこれに剛固に接続された一対のレール部材３４と、その一端に取り付けられた一対の支柱部材３６と、これら支柱部材の頂点部より一対のレール部材３４上へ傾斜して掛け渡された一対の帯片３８とから構成されている。帯片３８の各々は弾力性のあるシート材より作られており、一端にて接着または溶着等により支柱部材３６の頂点部に固定され、他端にてレール部材３４上にピン４０等により取りつけられている。シート受け手段２４の図１に示されている収納位置と図２に示されている引き出し使用位置との間の移動は、一対のレール部材３４がハウジング１２の底部に形成された一対のレール受け溝４２に摺動式に嵌入されていることにより案内されるようになっている。
【００２６】
図２は給紙フェンス３０より供給されたシートが丁度第一のローラ群１８、１９によりインクジェット１４のインク噴射口が往復動する帯状の印刷領域１５に送り込まれようとする状態を示している。これより更にローラ群１８、１９によるシートの送りが進行すると、シートは印刷領域１５に沿って往復動するインク噴射口から噴射されるインクにより印刷を施され、更に第二のローラ群２０、２２によって送られて図３に示されている如き位置まで来る。このときシートが比較的柔らかでその先端部が下方へ垂れ下がったとしても、先端は一対の帯片３８に当接することよりこれによって次第に持ち上げられ、やがて図４に示されている状態に達する。
【００２７】
図４に示されている状態では、シート１６の後端は第一のローラ群１８、１９との係合から丁度外れたところであるが、このときシート前端部は既に一対の支柱部材３６の頂点により支持されている。図示の実施の形態では、印刷装置１０が平面上に置かれたとき、第一のローラ群１８と１９の間のシート挟み部の平面からの高さと、第二のローラ群２０と２２の間のシート挟み部の平面からの高さと、一対の支柱部材３６の頂点の平面からの高さとは同じとされている。この場合、シート１６がポストカードの如きシートであるときには、その剛性は１枚のシートとしてはかなり高いので、シート１６の後端が第一のローラ群１８、１９との係合より外れた後、シート１６の後端部が第二のローラ群２０、２２のみにより送られてインク噴射口の前を移動する間も、シート１６の後端部はそれまで第一のローラ群１８、１９と第二のローラ群２０、２２とにより前後を挟まれてインク噴射口の前を移動していたときの所定のシート移動経路に沿ったまま移動する。
【００２８】
但し、本発明に於いて、標準サイズのポストカード状のシートがシート送り手段により縦長に送られるとき、シートのシート送り方向に見た後端が第一のローラ群との係合より外れる前にシートのシート送り方向に見た前端部を支持するシート前端部支持手段を設け、かかるシート前端部支持手段によるシートの前端部の支持を、シートの後端が第一のローラ群との係合より外れた後もシートの後端部がインク噴射口の前を所定の経路に沿って移動するようにする構成は、図示の実施の形態に於ける如く、一対の支柱部材３６の頂点の高さを、第一のローラ群１８と１９の間のシート挟み部の高さおよび第二のローラ群２０と２２の間のシート挟み部の高さに同じとすることに限られるものではなく、その目的および作用効果に照らして、第一のローラ群によるポストカード状シートの後端の送り係合が解除されたとき、シート前端部支持手段がシート後端に浮き上がりが生じることを抑制するようにシートの前端を支持するようになっていればよく、そのようなシート前端部支持手段の構成は他にも種々考えられることは明らかであろう。
【００２９】
いずれにしても、かかる構成により、シート後端部が印刷されるときにも、シートはその剛性と上記の如きシート前端部支持手段とに助けられてインクジェット１４のインク噴射口に対し最後までほぼ一様な姿勢に保たれる。
【００３０】
これよりさらに印刷が進み、印刷が終了すると、シートの後端はローラ群２０および２２による挾持から外れ、シート後端は図５に示されている如くシート受け面の始端４４上に落下した状態となる。このとき一対の支柱部材３６の頂点よりこの始端４４までのシート送り方向に見た直線距離Ｓがポストカードの標準サイズの長辺の長さの５０％より大きく１００％より小さい距離だけ隔たっており、シート１６がポストカード標準サイズのものであれば、シートはその長さ方向の中心より前側で支持されることにより、自重に基づくバランスによって図５に示す状態に保持される。
【００３１】
こうして更に印刷が進み、シートが重なってくると、シートの重合体全体としての剛性が高まってくるので、シートの重合体は図６に示されている如く図５に示されている単独の場合よりも平面に近いものとなり、シートの中間部が一対の支柱部材３６による２点支持であっても、シートの枚数が適度に増えるほどシートはシート受け手段上により安定して受けられるようになる。
【００３２】
シート受け手段が上記の通り実質的に一対の帯片３８と一対の支柱部材３６よりなっていることにより、シート受け手段がハウジング内に収納されるときにも一対の帯片３８と一対の支柱部材３６がローラ群２０や２２の如きシート送り手段と干渉しないようにすることができる。また、この点に関し、一対の帯片３８のレール部材３４上への取り付けが、図７に示されている如く、ピン４０に対し長溝４６により長手方向に偏倚できるようになっていれば、弾性体よりなる帯片３８は図７に二点鎖線にて示す如く変形することができるので、帯辺３８のこのような変形が可能なようにしておくことにより、シート受け手段をハウジング内に収納するとき、帯辺３８のこのような変形によりローラ群２０や２２の如きシート送り手段との干渉を回避するようにすることもできる。
【００３３】
以上に於いては本発明を一つの実施の形態とその一部についての変形例について詳細に説明したが、かかる実施の形態やその変形例について本発明の範囲内にて種々の修正が可能であることは当業者にとって明らかであろう。
【図面の簡単な説明】
【図１】本発明によるポストカード印刷装置の一つの実施の形態をその非使用時（収納時）の状態にて示す斜視図。
【図２】図１に示す印刷装置を使用するためシート受け手段がハウジングより引き出された状態を示す斜視図。
【図３】図２に示す状態から印刷が幾分進んだ状態を示す斜視図。
【図４】図３に示す状態から更に印刷が進んだ状態を示す斜視図。
【図５】図４に示す状態から更に印刷が進んだ状態を示す斜視図。
【図６】図４に示す状態から更に印刷が進み、多数枚のシートが重なりあった状態を示す斜視図。
【図７】シート受け手段をハウジング内に収納するための構成の一つの変形例を示す斜視図。
【符号の説明】
１０…ポストカード印刷装置、１２…ハウジング、１４…インクジェット、１５…印刷領域、１６…シート、１８，１９，２０，２２…ローラ群、２４…シート受け手段、２６…制御パネル、２８…境界線、３０…給紙フェンス、３２…前板、３４…レール部材、３６…支柱部材、３８…帯片、４０…ピン、４２…レール受け溝、４４…始端、４６…長溝
【図１】
2005022836.tif 000003
【図２】
2005022836.tif 000004
【図３】
2005022836.tif 000005
【図４】
2005022836.tif 000006
【図５】
2005022836.tif 000007
【図６】
2005022836.tif 000008
【図７】
2005022836.tif 000009